(57)【特許請求の範囲】
【請求項１】
隣り合って配置された保安用コーン間に用いられるコーンバーであって、
両端が拘束され、かつ、拘束される方向に応じて水平面上における形状が直線形状および湾曲形状に変化する、ＰＦ管およびＣＤ管のいずれかである可撓性の合成樹脂管と、
前記合成樹脂管の両端を拘束し、かつ、隣り合って配置される前記保安用コーンの中心軸を結ぶ直線の距離に応じて、前記水平面上における前記直線に対する長手方向の角度が変化することによって、前記水平面上における前記合成樹脂管の湾曲度合いを定める方向決め部材とを備えた、コーンバー。
【請求項２】
前記方向決め部材は、
前記保安用コーンと係合される係合部材と、
前記係合部材と連結され、前記合成樹脂管の両端を受け入れる筒状部材とを含む、請求項１に記載のコーンバー。
【請求項３】
前記係合部材は、リング状部材である、請求項２に記載のコーンバー。
【請求項４】
前記リング状部材は、内壁面がテーパ状に形成されている、請求項３に記載のコーンバー。
【発明の詳細な説明】
【技術分野】
【０００１】
本発明は、隣り合う保安用コーン間に用いられるコーンバーに関する。
【背景技術】
【０００２】
工事現場や建築現場などにおいて人や車の進入を禁止する区画を表示するために、カラーコーン（登録商標）などの保安用コーン（以下「コーン」と略す）と、それらをつなぐコーンバーとが配置される。
【０００３】
一般的に、コーン同士をつなぐコーンバーの本体部分は直線状の棒体で構成されている。そのため、このようなコーンバーを用いた場合、コーン同士を直線状にしかつなげられず、円あるいは円弧形状の区画を表示する場合、必要以上に大きな区画を表示してしまうといった問題があった。
【０００４】
一方で、従来より、直線形状以外の区画を表示可能なコーンバーも提案されている。
【０００５】
特開２００３−９６７２８号公報（特許文献１）には、一部分に伸縮曲折可能な蛇腹機構を設けたコーンバーが開示されている。実用新案登録第３０８４４８１号公報（特許文献２）には、全体において伸縮曲折可能な蛇腹機構を設けたコーンバーが開示されている。
【０００６】
また、実用新案登録第３１６１９８８号公報（特許文献３）には、コーンバー本体を、予め長手方向に湾曲させた円筒形パイプで構成することが開示されている。
【先行技術文献】
【特許文献】
【０００７】
【特許文献１】特開２００３−９６７２８号公報
【特許文献２】実用新案登録第３０８４４８１号公報
【特許文献３】実用新案登録第３１６１９８８号公報
【発明の概要】
【発明が解決しようとする課題】
【０００８】
特許文献１のコーンバーによれば、蛇腹構造は一部分にのみ設けられているため、適切な円あるいは円弧形状の区画を表示することができない。また、特許文献２のコーンバーでは、単に、バー全体を蛇腹構造にすることが提案されているにすぎず、水平方向にバー本体を湾曲させた場合における中央部分の垂れ下がりについては考慮されていない。
【０００９】
これに対し、特許文献３のコーンバーは、中央部分の垂れ下がりが考慮されている。しかしながら、特許文献３において、コーンバー本体は、予め長手方向に湾曲させた円筒形パイプで構成されているため、円あるいは円弧形状の区画の表示にしか使用できない。したがって、直線形状の区画を表示しようとした場合には、別途、直線状のコーンバーを用意しなければならず、区画の形状に応じて臨機応変に対応することができない。
【００１０】
本発明は、上記のような課題を解決するためになされたものであって、その目的は、区画の形状を適切に表示することのできるコーンバーを提供することである。
【課題を解決するための手段】
【００１１】
本発明のある局面に従うコーンバーは、隣り合って配置された保安用コーン間に用いられるコーンバーであって、可撓性の合成樹脂管と方向決め部材とを備える。合成樹脂管は、両端が拘束され、かつ、拘束される方向に応じて水平面上における形状が直線形状および湾曲形状に変化する。方向決め部材は、合成樹脂管の両端を受け入れ、かつ、隣り合って配置される保安用コーンの中心軸を結ぶ直線の距離に応じて、水平面上における当該直線に対する長手方向の角度が変化する。
【００１２】
好ましくは、合成樹脂管は、ＰＦ管およびＣＤ管のいずれかである。
【００１３】
好ましくは、方向決め部材は、保安用コーンと係合される係合部材と、係合部材と連結され、合成樹脂管の両端を受け入れる筒状部材とを含む。
【００１４】
係合部材は、リング状部材であることが望ましい。
【００１５】
リング状部材は、内壁面がテーパ状に形成されていてもよい。
【発明の効果】
【００１６】
本発明によれば、区画の形状を適切に表示することができる。
【図面の簡単な説明】
【００１７】
【図１】本発明の実施の形態に係るコーンバーを示す斜視図である。
【図２】本発明の実施の形態に係るコーンバーに含まれる方向決め部材の向きを説明するための図である。
【図３】（Ａ）〜（Ｃ）は、それぞれ、本発明の実施の形態に係るコーンバーの第１〜第３の配置状態を示す上面図である。
【図４】方向決め部材の変形例を示す図である。
【発明を実施するための形態】
【００１８】
本発明の実施の形態について図面を参照しながら詳細に説明する。なお、図中同一または相当部分には同一符号を付してその説明は繰返さない。
【００１９】
はじめに、本実施の形態に係るコーンバーの構成について説明する。
【００２０】
図１は、本発明の実施の形態に係るコーンバー１を示す斜視図である。図１を参照して、コーンバー１は、隣り合うコーン１０間に用いられる。コーン１０は、土台となる基盤部１２を有している。
【００２１】
コーンバー１は、可撓性の合成樹脂管２、および、方向決め部材３を含む。
【００２２】
本実施の形態では、可撓性の合成樹脂管２は、電線管として一般に用いられているＰＦ（Plastic Flexible conduit）管およびＣＤ（Combined Duct）管のいずれかで実現される。そのため、合成樹脂管２は、その形状を手で自在に曲げられるよう長手方向の断面形状が波状に形成されている。また、天候の影響を受け難く、衝撃にも強いため、屋外で用いるコーンバーに適した性質を有している。さらに、このような合成樹脂管２は、軽量であるため運搬が容易というメリットもある。本実施の形態では、合成樹脂管２として、たとえば耐燃性（自己消失性）のあるＰＦ管が用いられる。
【００２３】
なお、合成樹脂管２の長さは、通常のコーンバーと同様の長さであってよく、たとえば１．５ｍ〜１．８ｍの範囲で設定されてよい。また、合成樹脂管２の外径は、たとえばφ３６ｍｍである。
【００２４】
方向決め部材３は、コーン１０に取り付けられ、かつ、合成樹脂管２の両端を受け入れる。方向決め部材３は、保安用コーンに嵌め込まれるリング状部材であるリング部４と、リング部４と連結され、かつ、合成樹脂管２を受け入れる筒状部材５とを含む。筒状部材５は、不撓性の管であり、その内部に合成樹脂管２が挿入されている。筒状部材５の表面からビス止めなどが施されることで、筒状部材５と合成樹脂管２とが連結固定されている。なお、リング部４と筒状部材５とは、連結固定されていれば、一体形成されたものであってもよいし、別箇に形成されたものを接着させたものであってもよい。
【００２５】
このように、合成樹脂管２は、その両端が方向決め部材３により拘束されている。合成樹脂管２は、上述のように可撓性の電線管であるため、方向決め部材３により拘束される方向に応じて、水平面上における形状が、直線形状および湾曲形状に変化させられる。「水平面」とは、コーン１０の基盤部１２が配置される路面と平行な面を表わす。
【００２６】
本実施の形態において、方向決め部材３は、隣り合うコーン１０間の距離（間隔）に応じて向きが変化する。つまり、方向決め部材３が、水平面上において合成樹脂管２を仕向ける方向が変化する。このことについて、図２を参照して具体的に説明する。
【００２７】
図２は、本発明の実施の形態における方向決め部材３の向きを説明するための図である。図２を参照して、方向決め部材３は、隣り合うコーン１０の間隔が定められると、コーン１０の中心軸１１を起点とした方向決め部材３の向き、すなわち、方向決め部材３における円筒部材５の軸６が延びる方向が決められる。よって、隣り合うコーン１０の間隔が定められると、コーン１０間を結ぶ直線１３に対する方向決め部材３の長手方向の角度、すなわち、直線１３と方向決め部材３における円筒部材５の軸線６とがなす角度θ（以下「傾斜角θ」という）が定まる。これにより、合成樹脂管２の両端が拘束される方向が定められ、合成樹脂管２の水平面上における湾曲度合いが定められる。
【００２８】
次に、本実施の形態に係るコーンバー１を使用して禁止区画を表示する際における、コーンバー１の取り得る形状について説明する。
【００２９】
図３（Ａ）〜（Ｃ）は、それぞれ、本発明の実施の形態に係るコーンバー１の第１〜第３の設置状態を示す上面図である。なお、以下の説明において、図３の紙面上上側を外側と仮定する。
【００３０】
図３（Ａ）に示される第１の配置状態では、２つのコーン１０は、中心軸１１間が最大となる距離Ｄ１となるように配置されている。図３（Ｂ）に示される第２の配置状態では、２つのコーン１０は、中心軸１１間が距離Ｄ２となるように配置されている。距離Ｄ２は、第１の配置状態の距離Ｄ１より短い。図３（Ｃ）に示される第３の配置状態においては、２つのコーン１０は、中心軸１１間が距離Ｄ３となるように配置されている。距離Ｄ３は、第２の配置状態の距離Ｄ２よりもさらに短い。
【００３１】
第１の配置状態では、中心軸１１間の距離Ｄ１は最大値であるため、各方向決め部材３の向く方向は、相手側に向けて真直ぐ延びる方向に決定される。この場合、図２で示した傾斜角θは略０°であり、合成樹脂管２は、上面から見て直線形状となるよう仕向けられる。
【００３２】
第１の配置状態よりも中心軸１１間の距離を少し縮めて２つのコーン１０を配置した場合、すなわち第２の配置状態の場合、各方向決め部材３の向く方向は、やや外側を向く方向に決定される。この場合、図２で示した傾斜角θは２０〜３０°程度である。そうすると、合成樹脂管２は、上面から見て緩やかな湾曲形状となるよう仕向けられる。
【００３３】
さらに、第２の配置状態よりも中心軸１１間の距離を縮めて２つのコーン１０を配置した場合、すなわち第３の配置状態の場合、各方向決め部材３の向く方向は、さらに外側を向く方向に決定される。この場合、図２で示した傾斜角θは略４５°である。そうすると、合成樹脂管２は、第２の配置状態よりも、急な湾曲形状となるよう仕向けられる。
【００３４】
このように、本実施の形態によれば、隣り合うコーン１０間の間隔に応じて、方向決め部材３の向きが変わる。そのため、コーン１０の間隔を詰めた場合でも、方向決め部材３が合成樹脂管２を湾曲させる方向に仕向けるため、合成樹脂管２の中央部分の垂れ下がりを防止することができる。したがって、水平面上において、合成樹脂管２の湾曲形状を維持することが可能となる。
【００３５】
また、本実施の形態に係るコーンバー１によれば、隣り合うコーン１０間の距離を調整しさえすれば、合成樹脂管２の形状を直線形状にも任意の湾曲形状にも設定することができる。したがって、区画の形状に合わせて直線形状のコーンバーと湾曲形状のコーンバーとを別に準備する必要がない。また、複数のコーンバー１を用いて区画を表示する場合、複数のコーン１０の配置位置を個別に調節することにより、直線と異なる径の円弧とで表わされる複雑な形状の区画をも適切に表示することができる。したがって、本実施の形態によれば、進入を禁止したい区画を必要以上に大きく表示してしまうという不都合を解消することができる。
【００３６】
また、市販されている電線管を合成樹脂管２とすることで、コーンバー１の製造コストを抑えることもできる。
【００３７】
なお、より適切にコーンバー１の水平方向を維持するためには、上記リング部４に代えて、図４に示すように、内壁面がテーパ状に形成されたリング部４Ａを、方向決め部材３Ａに含ませることとしてもよい。
【００３８】
あるいは、コーン１０との係合部材は、リング状部材に限定されず、たとえば、頂部が開口されたコーンを対象とした場合、当該開口部分に差し込み可能な差込部材により実現されてもよい。
【００３９】
また、合成樹脂管２は、筒形状であるため、内部に照明用ランプを配置することとしてもよい。これにより、夜間でも区画を明確に表示することができる。
【００４０】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【符号の説明】
【００４１】
１  コーンバー、２  合成樹脂管、３，３Ａ  方向決め部材、４，４Ａ  リング部、５  筒状部材、１０  コーン、１１  中心軸、１２  基盤部。
【図１】
0005525019.tif 000002
【図２】
0005525019.tif 000003
【図３】
0005525019.tif 000004
【図４】
0005525019.tif 000005